(57)【要約】【課題】高架橋において、高架下を利用状態としたままでの耐震補強を可能とする。【解決手段】高架下を店舗や事務所等の利用空間Ｓとしたラーメン高架橋１において、高架下利用空間Ｓに位置する高架橋柱を補強せずに、高架下利用空間Ｓ以外の高架橋柱１２を耐震補強１６する。これにより、高架下利用空間Ｓにある高架橋柱の耐震補強を行わないでラーメン高架橋１の耐震性を高められる。従って、高架下を利用状態としたままでラーメン高架橋１を耐震補強できる。そして、必要により高架下利用空間Ｓに対し上側に位置する橋軸方向の縦梁１４を縦梁補強１７する。これにより、高架下利用空間Ｓとしたラーメン高架橋１の耐震性をさらに高められる。【選択図】図１
2005200929.tif 000002
【特許請求の範囲】
【請求項１】
高架下を店舗や事務所等の利用空間としたラーメン高架橋において、前記利用空間に位置する高架橋柱を補強せずに、利用空間以外の箇所の高架橋柱を耐震補強することを特徴とする高架橋の耐震補強工法。
【請求項２】
高架下を店舗や事務所等の利用空間とした桁式高架橋において、前記利用空間に位置する橋脚柱を補強せずに、利用空間以外の箇所の橋脚柱を耐震補強することを特徴とする高架橋の耐震補強工法。
【請求項３】
高架下を店舗や事務所等の利用空間としたラーメン高架橋と、その橋軸方向の前後に位置する耐震補強可能なラーメン高架橋において、高架下を利用空間としたラーメン高架橋を挟む前後のラーメン高架橋を耐震補強した上で、これらのラーメン高架橋を一体化することを特徴とする高架橋の耐震補強工法。
【請求項４】
高架下を店舗や事務所等の利用空間としたラーメン高架橋と、その橋軸方向の前後に単純桁を挟んで位置する耐震補強可能なラーメン高架橋において、高架下を利用空間としたラーメン橋及び単純桁を挟む前後のラーメン高架橋を耐震補強した上で、これらのラーメン高架橋と単純桁とを一体化することを特徴とする高架橋の耐震補強工法。
【請求項５】
前記単純桁とラーメン高架橋において、その間に充填材を注入して固化させることにより、構造的に一体化することを特徴とする請求項４に記載の高架橋の耐震補強工法。
【発明の詳細な説明】
【技術分野】
【０００１】
本発明は、高架橋の高架下を利用状態としたままで行う耐震補強工法に関する。
【背景技術】
【０００２】
鉄道橋や道路橋として使用される既存のラーメン高架橋において、一般には高架橋柱の耐震補強が行われるが、その他に例えばブレース型ダンパーを用いた耐震補強工法も公知となっている（特許文献１参照）。
【特許文献１】特開２００３−６４６２４号公報
【発明の開示】
【発明が解決しようとする課題】
【０００３】
ところで、高架下を店舗や事務所等として利用している場合において、高架橋柱全部の耐震補強を行うためには、テナントの移転や休業の費用補償が必要となる。しかし、その費用補償は膨大になるため、高架橋柱全部を耐震補強できない場合がある。
【０００４】
本発明の課題は、高架橋において、高架下を利用状態としたままでの耐震補強を可能とすることである。
【課題を解決するための手段】
【０００５】
以上の課題を解決するため、請求項１に記載の発明は、例えば図１に示すように、高架下を店舗や事務所等の利用空間Ｓとしたラーメン高架橋１において、前記利用空間Ｓに位置する高架橋柱を補強せずに、利用空間以外の箇所の高架橋柱１２を耐震補強１６することを特徴とする。
【０００６】
このように、高架下利用空間以外の高架橋柱を耐震補強することで、高架下利用空間にある高架橋柱の補強を行わないでラーメン高架橋の耐震性を高められる。
【０００７】
請求項２に記載の発明は、高架下を店舗や事務所等の利用空間とした桁式高架橋において、前記利用空間に位置する橋脚柱を補強せずに、利用空間以外の箇所の橋脚柱を耐震補強することを特徴とする。
【０００８】
このように、高架下利用空間以外の橋脚柱を耐震補強することで、高架下利用空間にある橋脚柱の補強を行わないで桁式高架橋の耐震性を高められる。
【０００９】
請求項３に記載の発明は、例えば図２に示すように、高架下を店舗や事務所等の利用空間Ｓとしたラーメン高架橋２と、その橋軸方向の前後に位置する耐震補強可能なラーメン高架橋３において、高架下を利用空間Ｓとしたラーメン高架橋２を挟む前後のラーメン高架橋３を耐震補強した上で、これらのラーメン高架橋２・３を一体化することを特徴とする。
【００１０】
このように、高架下利用空間としたラーメン高架橋を挟んだ前後のラーメン高架橋を耐震補強して、これらのラーメン高架橋を一体化することで、高架下利用空間にあるラーメン高架橋の補強を行わないでその前後に一体の耐震補強したラーメン高架橋によって耐震性を高められる。
【００１１】
請求項４に記載の発明は、例えば図２に示すように、高架下を店舗や事務所等の利用空間Ｓとしたラーメン高架橋２と、その橋軸方向の前後に単純桁４を挟んで位置する耐震補強可能なラーメン高架橋３において、高架下を利用空間Ｓとしたラーメン高架橋２及び単純桁４を挟む前後のラーメン高架橋３の高架橋柱３２を耐震補強した上で、これらのラーメン高架橋２・３と単純桁４とを一体化することを特徴とする。
【００１２】
このように、高架下利用空間としたラーメン高架橋及び単純桁を挟んだ前後のラーメン高架橋を耐震補強して、これらのラーメン高架橋とその間の単純桁とを一体化することで、高架下利用空間にあるラーメン高架橋の補強を行わないでその前後に一体の耐震補強したラーメン高架橋によって耐震性を高められる。
【００１３】
請求項５に記載の発明は、請求項４に記載の高架橋の耐震補強工法であって、例えば図２に示すように、前記単純桁４とラーメン高架橋２・３において、その間に充填材５を注入して固化させることにより、構造的に一体化することを特徴とする。
【発明の効果】
【００１４】
請求項１に記載の発明によれば、高架下利用空間以外の高架橋柱を耐震補強することにより、高架下利用空間にある高架橋柱の補強を行わないでラーメン高架橋の耐震性を高められるため、高架下を利用状態としたままでラーメン高架橋を耐震補強できる。
【００１５】
請求項２に記載の発明によれば、高架下利用空間以外の橋脚柱を耐震補強することにより、高架下利用空間にある橋脚柱の補強を行わないで桁式高架橋の耐震性を高められるため、高架下を利用状態としたままで桁式高架橋を耐震補強できる。
【００１６】
請求項３に記載の発明によれば、高架下利用空間としたラーメン高架橋を挟んだ前後のラーメン高架橋を耐震補強して、これらのラーメン高架橋を一体化することにより、高架下利用空間にあるラーメン高架橋の補強を行わないでその前後に一体の耐震補強したラーメン高架橋によって耐震性を高められるため、高架下を利用状態としたままで、連続するラーメン高架橋を一括して耐震補強できる。
【００１７】
請求項４に記載の発明によれば、高架下利用空間としたラーメン高架橋及び単純桁を挟んだ前後のラーメン高架橋を耐震補強して、これらのラーメン高架橋とその間の単純桁とを一体化することで、高架下利用空間にあるラーメン高架橋の補強を行わないでその前後に一体の耐震補強したラーメン高架橋によって耐震性を高められるため、高架下を利用状態としたままで、連続するラーメン高架橋を一括して耐震補強できる。
【発明を実施するための最良の形態】
【００１８】
以下、図を参照して本発明を実施するための最良の形態を詳細に説明する。
〔第１実施形態〕
本発明を適用する高架橋の第１実施形態の構成を示した図１において、Ｓは高架下利用空間、１はラーメン高架橋、１１はフーチング、１２は高架橋柱、１３は桁、１４は縦梁、１５は桁受けである。
図示のように、ラーメン高架橋１は、地盤内のフーチング１１上に高架橋柱１２を構築し、高架橋柱１２上に構築した桁１３の下面に橋軸方向の縦梁１４を備えて、橋軸方向両端の高架橋柱１２から突出する桁受け１５を備えた鉄筋コンクリート製である。図示例では、橋軸方向に４本の高架橋柱１２が備えられている。
そして、ラーメン高架橋１は、図示のように、橋軸方向の両端の高架橋柱１２を除いた中間の高架下が店舗や事務所等の利用空間Ｓとなっている。
【００１９】
以上のように高架下を利用空間Ｓとしたラーメン高架橋１において、橋軸方向両端の高架橋柱１２を耐震補強１６する。耐震補強１６の具体的工法としては、高架橋柱１２への鋼板巻き工法や、高架橋柱１２の外周にせん断補強鉄筋を配置するＲＢ（リブ・バー）工法や、高架橋柱１２の一面補強工法などが挙げられる。
このように、鉄筋コンクリート製ラーメン高架橋１において、高架下利用空間Ｓに対し橋軸方向の前後に位置する高架橋柱１２を耐震補強１６することで、高架下利用空間Ｓにある高架橋柱１２の耐震補強を行わずに、高架下を利用状態としたままでラーメン高架橋１の耐震性を高めることができる。
こうして高架下利用空間Ｓに対し橋軸方向の前後の耐震補強１６した高架橋柱１２と桁１３や縦梁１４の剛性により地震によるラーメン高架橋１全体の崩壊を防止する。
【００２０】
そして、必要により桁１３下の縦梁１４を縦梁補強１７する。縦梁補強１７の具体的工法としては、耐震補強と同様、縦梁１４への鋼板巻き工法や、縦梁１４の外周にせん断補強鉄筋を配置するＲＢ工法や、縦梁１４の下面補強工法などが挙げられる。
こうして、さらに、高架下利用空間Ｓに対し上側に位置する橋軸方向の縦梁１４を縦梁補強１７することで、ラーメン高架橋１の耐震性をさらに高めることができる。
【００２１】
なお、以上の実施形態では、ラーメン高架橋の耐震補強について説明したが、桁式高架橋の場合も同様であることは勿論である。即ち、桁式高架橋においては、利用空間に位置する橋脚柱を補強せずに、利用空間以外の箇所の橋脚柱を耐震補強すれば良い。
【００２２】
〔第２実施形態〕
本発明を適用する高架橋の第２実施形態の構成を示した図２において、Ｓは高架下利用空間、２・３はラーメン高架橋、２１・３１はフーチング、２２・３２は高架橋柱、２３・３３は桁、２５・３５は桁受け、４は単純桁である。
図示のように、ラーメン高架橋２は、地盤内のフーチング２１上に高架橋柱２２を構築し、高架橋柱２２上に桁２３を構築して、橋軸方向両端の高架橋柱２２から突出する桁受け２５を備えた鉄筋コンクリート製である。図示例では、橋軸方向に４本の高架橋柱２２が備えられている。
そして、ラーメン高架橋２は、図示のように、橋軸方向の両端の高架橋柱２２まで含む高架下全部が店舗や事務所等の利用空間Ｓとなっている。
【００２３】
このように高架下全部を利用空間Ｓとしたラーメン高架橋２に対しその橋軸方向の前後に間隔を開けて位置するラーメン高架橋３は、地盤内のフーチング３１上に高架橋柱３２を構築し、高架橋柱３２上に桁３３を構築して、橋軸方向両端の高架橋柱３２から突出する桁受け３５を備えた鉄筋コンクリート製である。図示例では、橋軸方向に２本の高架橋柱３２が備えられている。
このラーメン高架橋３は、図示のように、高架下が他の利用空間として利用されていない。
【００２４】
このように高架下が他の利用空間として利用されていないラーメン高架橋３と、前述した高架下全部を利用空間Ｓとしたラーメン高架橋２との間には、単純桁４が架設されている。この単純桁４は、ラーメン高架橋２の桁受け２５とラーメン高架橋３の桁受け３５の上に橋軸方向両端部が載せられている。
【００２５】
以上のように、高架下全部を利用空間Ｓとしたラーメン高架橋２と、その橋軸方向の前後に間隔を開けて位置し、高架下が他の利用空間として利用されていないラーメン高架橋３と、これらラーメン高架橋２・３の桁受け２５・３５間に架設される単純桁４とからなる高架橋において、前後の高架下利用されていないラーメン高架橋３に耐震壁３６を構築して耐震補強する。即ち、耐震壁３６は、図示のように、橋軸方向に２個のフーチング３１間に施工する鉄筋コンクリートブロック３７と、橋軸方向に２本の高架橋柱３２にそれぞれ沿って施工する鉄筋コンクリートブロック３８と、桁３３下に沿って施工する鉄筋コンクリートブロック３９とが連続して構成される。
なお、コンクリートブロック３７・３８・３９としたが、これに限らず、高架橋の剛性を向上する補強であればどのような補強であって良い。
【００２６】
次に、ラーメン高架橋２・３の桁２３・３３の端面と単純桁４の端面との間に充填材５を注入する。そして、その充填材５の固化によりラーメン高架橋２・３及び単純桁４を構造的に全一体化する。充填材５としては、モルタルやコンクリート等の無機系材料を使用する。
このように、ラーメン高架橋２・３の桁２３・３３と単純桁４との間に充填材５を注入して固化させることによりラーメン高架橋２・３及び単純桁４を、橋軸方向及び橋軸直角方向ともに全一体化することで、真ん中のラーメン高架橋２の全高架下利用空間Ｓに含まれる全高架橋柱２２の耐震補強を行わずに、その高架下を利用状態としたままで、耐震壁３６の構築により耐震補強した前後のラーメン高架橋３及び単純桁４を含んで全一体的に耐震性を高めることができる。
こうして全高架下利用空間Ｓとしたラーメン高架橋２とその橋軸方向前後の耐震補強したラーメン高架橋３及び単純桁４の全一体化により地震による高架橋全体の崩壊を防止する。
【００２７】
なお、第２実施形態においては、高架下を利用空間Ｓとしたラーメン高架橋２と、高架下を他の利用空間としないラーメン高架橋３と、その間に介設される単純桁４とが連続する高架橋としたが、本発明はこれに限定されるものではない。例えば単純桁を用いない高架橋や、高架下を利用空間とした高架橋が連続する高架橋であっても良く、要は連続する高架橋を互いに一体化すれば良い。
また、以上の各実施形態の他、例えば耐震壁３６に代えて他の耐震補強を施工するなど具体的な構成や補強工法等についても適宜に変更可能であることは勿論である。
【図面の簡単な説明】
【００２８】
【図１】本発明を適用する高架橋の第１実施形態の構成を示すもので、ラーメン高架橋の側面図（ａ）と縦断正面図（ｂ）である。
【図２】本発明を適用する高架橋の第２実施形態の構成を示す側面図である。
【符号の説明】
【００２９】
Ｓ  高架下利用空間
１・２・３  ラーメン高架橋
１１・２１・３１  フーチング
１２・２２・３２  高架橋柱
１３・２３・３３  桁
１４  縦梁
１５・２５・３５  桁受け
１６  耐震補強
１７  縦梁補強
３６  耐震壁
３７・３８・３９  剛性を向上する補強
４  単純桁
５  充填材
【図１】
2005200929.tif 000003
【図２】
2005200929.tif 000004